(57)【要約】【課題】  回路遮断器にＵＶＴが組み込まれた場合は、このＵＶＴの励磁もしくは無励磁状態を判別し、無励磁状態では、ＯＮおよびＯＦＦ操作信号を受け付けないように構成した回路遮断器の電動操作装置を得る。【解決手段】  ＵＶＴを装着した回路遮断器のハンドルをＯＮ方向およびＯＦＦ方向に操作することで、該回路遮断器をＯＮ状態およびＯＦＦ状態にせしめる駆動部と、この駆動部の作動およびＯＮ方向かＯＦＦ方向かの作動方向を制御する駆動部制御回路と、ＯＮおよびＯＦＦ操作信号の入力により、駆動部制御回路による制御を決定する制御回路とを備えた回路遮断器の電動操作装置において、ＵＶＴの励磁状態および無励磁状態を検出する検出回路を制御回路に組み込むとともに、ＵＶＴの無励磁状態では、検出回路により、制御回路から駆動部制御回路への信号伝達が行われないように構成した。【選択図】        図４
2008097960.tif 000002
【特許請求の範囲】
【請求項１】
主回路に接続され、この主回路の電圧が所定の値を下回ったときに上記主回路の通電を遮断せしめる不足電圧引き外し装置を装着した回路遮断器、この回路遮断器のハンドルをＯＮ方向およびＯＦＦ方向に操作することで、該回路遮断器をＯＮ状態およびＯＦＦ状態にせしめる駆動部と、この駆動部の作動および上記ＯＮ方向か上記ＯＦＦ方向かの作動方向を制御する駆動部制御回路と、ＯＮ操作信号およびＯＦＦ操作信号の入力により、上記駆動部制御回路による制御を決定する制御回路とを備えた回路遮断器の電動操作装置において、
上記不足電圧引き外し装置の励磁状態および無励磁状態を検出する検出回路を上記制御回路に組み込むとともに、上記不足電圧引き外し装置の無励磁状態では、上記検出回路により、上記制御回路から上記駆動部制御回路への信号伝達が行われないことを特徴とする請求項１に記載の回路遮断器の電動操作装置。
【請求項２】
検出回路に設けたリレーの常開接点により、信号伝達が行われないように構成したことを特徴とする請求項１に記載の回路遮断器の電動操作装置。
【請求項３】
ＯＮ操作信号が入力されるＯＮ操作ボタン、およびＯＦＦ操作信号が入力されるＯＦＦ操作ボタンと制御回路の間に常開接点を設けたことを特徴とする請求項２に記載の回路遮断器の電動操作装置。
【請求項４】
制御回路と駆動部制御回路の間に常開接点を設けたことを特徴とする請求項２に記載の回路遮断器の電動操作装置。
【発明の詳細な説明】
【技術分野】
【０００１】
この発明は、回路遮断器のハンドルを遠隔で操作する回路遮断器の電動操作装置に関し、詳しくは主回路の電圧低下時における該電動操作装置の作動防止に関するものである。
【背景技術】
【０００２】
回路遮断器には、過電流が流れることによる電線や負荷機器の焼損を未然に防止するために電路を遮断する役目があるとともに、この回路遮断器に具備されたハンドルを操作することで電路の開閉、いわゆるスイッチの機能も兼ね備えている。この開閉は、例えば電気管理者による手動操作が一般的ではあるものの、該回路遮断器が例えば盤の奥まった箇所に設置された場合に備え、該回路遮断器のハンドルに係合する電動操作装置をこの回路遮断器に付設し、該電動操作装置に外部からＯＮ信号（開→閉）、あるいはＯＦＦ信号（閉→開）を与えることで、該回路遮断器の操作を遠隔で行うことも知られている。なお、ＯＦＦ信号は、上述した電路を遮断（トリップ）した際にＯＦＦ位置に戻す（いわゆるリセット）ことにも活用されている。
【０００３】
言うまでもないが、この電動操作装置には、例えば商用電源による操作電圧が必要となるが、この操作電圧が何らかの理由で低下している状態で、ＯＮ信号（またはＯＦＦ信号）が入力されて、その結果、該電動操作装置に内蔵されたモーターを駆動させようとすることは、（電圧低下に伴う）消費電流の増大によるモーターの焼損などが予測され、好ましくないことは明らかである。そこで、従来の回路遮断器の電動操作装置では、モーターに印加されている電圧を常時監視し、その電圧が所定値以下に低下した場合には、直ちにこのモーターへの電力供給を中止できるように構成されたものが開示されている（例えば、特許文献１参照）。
【０００４】
なお、この特許文献１では述べられていないが、前述したリセットにおいて、回路遮断器の警報スイッチと電動操作装置とを組み合わせ、該回路遮断器がトリップした場合、このトリップにより作動する警報スイッチの信号を取り込むことで、自動的にＯＦＦ位置に該ハンドルを移動させる、いわゆる自動リセットも知られている。
【０００５】
【特許文献１】特開平６−１８７８８７号公報（第３頁右欄第４６行〜第４頁左欄第１行）
【発明の開示】
【発明が解決しようとする課題】
【０００６】
一方、電路の電圧が低下した際、この電路に接続された負荷への悪影響を防止するために、回路遮断器に不足電圧引き外し装置（Ｕｎｄｅｒ  Ｖｏｌｔａｇｅ  Ｔｒｉｐ、以下ＵＶＴと称す）を内蔵し、電路電圧が所定値を下回ると、この回路遮断器をトリップさせることが知られているが、この場合、電路電圧が回復しない限り、該回路遮断器はトリップ状態での静止が求められる。これは、電路電圧が正常時であれば、ＵＶＴはその電圧での励磁による、いわゆる吸引状態にあり、電路電圧が低下すると、その吸引が解ける、いわゆる落下状態となって、例えばＵＶＴに設けたロッドが、該回路遮断器のトリップバーを押し続けるためである。つまり、この状態で、ハンドルをＯＦＦ位置に移動させても、再び、即トリップ状態に陥ってしまうため、該回路遮断器のＯＮ操作はもとより、ＯＦＦ操作（リセット）であっても、ＵＶＴの落下→吸引への移行、すなわち電路電圧の回復を待たなければならない。
【０００７】
特許文献１では示唆されていないものの、回路遮断器（付番７）にＵＶＴが内蔵されるケースも当然の如く考えられる。したがって、電動操作装置の商用電源が、回路遮断器が接続された電路の電圧とは違う、いわゆる別電源であったなら、電路電圧低下による回路遮断器７のトリップを知らずに、遠隔オフスイッチ（付番３０）を押し続けてしまうと、ＯＦＦ→トリップを繰り返すことになり、電動操作装置、特にモーターとしての正常な動作とは言い難い。また、制御回路（付番３）を構成する電子部品、あるいはリレー、タイマーといった機能部品に対しても、過度な作動（例えばチャタリング）を引き起こすことになり、電動操作装置そのものの故障を招きかねない。
【０００８】
前述した異常動作を防ぐために、電動操作装置の商用電源を電路電圧から直接供給することが考えられるが、この場合も、電動操作装置の最低動作電圧（特許文献１では、出力電圧よりも低い所定の電圧以下のとき出力する検出信号に相当）を、必ずＵＶＴの動作電圧（落下電圧）より大きくしておくことが求められる。ところが、通常、使用者側にて、回路遮断器と電動操作装置を現地にて組み合わせていることを考えると、それぞれに相当な精度が要求される結果となり、現実的な対策とは言えない。なお、これまでの説明で明らかなように、電動操作装置の最低動作電圧がＵＶＴの落下電圧より小さい場合は、前述した異常動作（ＯＦＦ→トリップの繰り返し）を引き起こしてしまう。
【０００９】
この発明は、上述のような課題を解決するためになされたもので、回路遮断器にＵＶＴが組み込まれた場合は、このＵＶＴの励磁もしくは無励磁状態を判別し、無励磁状態では、ＯＮ操作信号およびＯＦＦ操作信号を受け付けないように構成した回路遮断器の電動操作装置を得るものである。
【課題を解決するための手段】
【００１０】
この発明に係る回路遮断器の電動操作装置は、ＵＶＴを装着した回路遮断器のハンドルをＯＮ方向およびＯＦＦ方向に操作することで、該回路遮断器をＯＮ状態およびＯＦＦ状態にせしめる駆動部と、この駆動部の作動および上記ＯＮ方向か上記ＯＦＦ方向かの作動方向を制御する駆動部制御回路と、ＯＮ操作信号およびＯＦＦ操作信号の入力により、上記駆動部制御回路による制御を決定する制御回路とを備えた回路遮断器の電動操作装置において、上記ＵＶＴの励磁状態および無励磁状態を検出する検出回路を上記制御回路に組み込むとともに、上記ＵＶＴの無励磁状態では、上記検出回路により、上記制御回路から上記駆動部制御回路への信号伝達が行われないように構成されたものである。
【発明の効果】
【００１１】
この発明は以上説明したように、電路電圧が所定値を下回ったＵＶＴ無励磁状態では、ＯＮ操作信号はもとより、ＯＦＦ操作信号も受け付けないので、回路遮断器のトリップ状態での静止が可能となり、電動操作装置のモーターなどの異常動作を未然に防ぐことができる。
【発明を実施するための最良の形態】
【００１２】
実施の形態１．
図１はこの発明の実施の形態１における回路遮断器および電動操作装置の側面図、図２は電動操作装置のカバーを除去し内部を示した上面図であり、図１におけるＡ視図に相当する。また、図３はこれら回路遮断器および電動操作装置、さらには回路遮断器に内蔵されたＵＶＴへの電力供給経路を示す概略図、図４は回路遮断器（ＵＶＴ）および電動操作装置の電気的主要構成部によるブロック図、図５は図４で示したブロック図の詳細回路図である。なお、図６はこの実施の形態１の変形例を示す図４相当図である。
【００１３】
図１および図２に示すように、回路遮断器１０１のハンドル枠１０１ａから突出するハンドル１０１ｂに、延長ハンドル１０１ｃをジョイント１０１ｄにより連結した状態で、電動操作装置１０２を図１紙面上、左方向より取り付けることで、ハンドル枠１０１ａの面（すなわち回路遮断器１０１の上面）は図２からもわかるように、ほぼ電動操作装置１０２で覆われることになる。つまり、回路遮断器１０１、電動操作装置１０２とも、長手方向（図１および図２紙面上、上下方向）および幅方向（図２紙面上、左右方向）の寸法はほぼ同じとなっている。一方、ＵＶＴ１０３は、ＵＶＴ機構部１０３ａ、およびＵＶＴ制御回路１０３ｂより構成されており、このうちＵＶＴ機構部１０３ａは、図１に示すように回路遮断器１０１に内蔵されている。なお、図１（図２）紙面上、上側が電源側、下側が負荷側であることから、ハンドル１０１ｂの位置より回路遮断器１０１はＯＮ状態を示している。
【００１４】
ＵＶＴ１０３の動作は周知の通りである。すなわち、ＵＶＴ制御回路１０３ｂを介して印加される正常な電路電圧によって、ＵＶＴ機構部１０３ａが励磁され続けることで、回路遮断器１０１はＯＮおよびＯＦＦ操作が可能となり、結果的にＯＮ状態にある回路遮断器１０１を通して、負荷に正常な電力を供給し続ける。このとき、何らかの理由で電路電圧が所定値を下回ってしまうと、その電圧をＵＶＴ制御回路１０３ｂが検出し、ＵＶＴ機構部１０３ａそのものへの電力供給を停止する。すると、ＵＶＴ機構部１０３ａは無励磁状態となり、このＵＶＴ機構部１０３ａに具備されたロッドが回路遮断器１０１のトリップバー（ともに図示せず）を押すことで、回路遮断器１０１はトリップし、負荷への電力供給がストップする。なお、このロッドは、一旦、突出すると、電路電圧が回復しない限り、つまり、再度励磁状態にならない限り、元の位置に戻らないため、発明が解決しようとする課題の項でも述べたように、回路遮断器１０１をＯＦＦ状態にすることはできない。また、これまでの説明で明らかなように、通常、ＵＶＴ機構部１０３ａとＵＶＴ制御回路１０３ｂは直結しているが、図１に示すように、ＵＶＴ機構部１０３ａの他方、およびＵＶＴ制御回路１０３ｂの他方とも、電動操作装置１０２に接続している。この接続こそが、本発明のポイントであるため、後で詳しく説明する。
【００１５】
電動操作装置１０２の動作も周知の通りである。すなわち、図２の状態（ＯＮ状態）より、ＯＦＦ操作ボタン２（図４または図５参照）を押すことで、駆動部３の核となる正逆回転可能なモーター３１が作動しボールねじ３２が回転する。このボールねじ３２には、ハンドル１０１ｂの紙面上、上下に位置するハンドル操作ピン３３ａ（図１も参照）を設けたスライダー３３が螺着されていることから、ボールねじ３２の回転に伴いスライダー３３が下方に移動する。このスライダー３３の移動により、紙面上、上側のハンドル操作ピン３３ａがハンドル１０１ｂ（ジョイント１０１ｄ）を下方に押すことで、回路遮断器１０１はＯＦＦ状態に移行する。このＯＦＦ状態から、今度はＯＮ操作ボタン１（図４または図５参照）を押せば、前述した作動に準じて、ＯＮ状態、すなわち図２の状態に戻る。この図２の状態で、電路に過電流が発生した場合、言うまでもないが、回路遮断器１０１はトリップ状態となり、ハンドル１０１ｂが図１紙面上、下側のハンドル操作ピン３３ａを押しつつ、左右方向にほぼ平行な位置まで移動する。なお、このトリップ状態からＯＮ状態にするには、一旦、ＯＦＦ操作ボタン２を押してＯＦＦ状態にし、その後、ＯＮ操作ボタン１を押すことになるが、これは、この電動操作装置１０２がない、回路遮断器１０１単体での手動操作（トリップ→ＯＦＦ（リセット）→ＯＮ）と何ら変わりはない。また、スライダー３３の位置検出、換言すれば回路遮断器１０１の状態確認のために、スライダー３３に固着された操作板３３ｂが、制御回路５を成すリミットスイッチ５１を切り換えている。具体的には、図２に示すＯＮ状態では、接点５１ａが閉、接点５１ｂが開、一方、ＯＦＦ状態では、逆に、接点５１ａが開、接点５１ｂが閉、となっている。因みにトリップ状態はＯＮ状態と同じになるが、これはリミットスイッチ５１に、次押動で初めて接点が切り換わるラッチングタイプを使用しているからである。
【００１６】
続いて、本発明のポイントである、電動操作装置１０２とＵＶＴ１０３との電気的接続について説明する。まず、これら電動操作装置１０２およびＵＶＴ１０３への電力供給は、図３に示すように、回路遮断器１０１の電源側より行われている。これは、ＵＶＴ１０３の場合は、前述したように、電路電圧を常時監視するため、また、電動操作装置１０２の場合は、ＯＦＦ→ＯＮ（あるいはトリップ→ＯＦＦ）操作に当然の如く電力が欠かせないため、に他ならない。
【００１７】
電動操作装置１０２とＵＶＴ１０３の間は、図４に示す通りである。すなわち、電動操作装置１０２の電気回路は、大別すると、駆動部３、駆動部制御回路４、および制御回路５からなり、この制御回路５にＵＶＴ吸引／落下検出回路６（請求項では検出回路、以下検出回路と称す）が組み込まれている。この検出回路６は、前述したＵＶＴ機構部１０３ａとＵＶＴ制御回路１０３ｂ間に介在しており、制御回路５との間で信号の伝達を行うことで、いわゆる電動操作装置１０２とＵＶＴ１０３間の電気的接続を成している。
【００１８】
検出回路６には、リレーＵ６１が具備されており、このリレーＵ６１のａ接点６１ａがＯＮ操作ボタン１およびＯＦＦ操作ボタン２と制御回路５間に介在している。ここで、ＵＶＴ１０３が励磁（吸引）状態であれば、リレーＵ６１も励磁され、ａ接点６１ａが閉となることで、ＯＮあるいはＯＦＦ操作信号を制御回路５は受け付ける。逆にＵＶＴ１０３が無励磁（落下）状態であれば、リレーＵ６１も無励磁となり、ａ接点６１ａが図示の通り開となり、ＯＮ操作ボタン１あるいはＯＦＦ操作ボタン２を押動しても、電動操作装置１０２は何ら応答しない。この検出回路６をどのように制御回路５に組み込んだか、換言すると、如何にしてａ接点６１ａの開を駆動部制御回路４の作動停止に波及させたかを、図５に基づき詳しく説明する。
【００１９】
図５において、リミットスイッチ５１の接点５１ａが開、接点５１ｂが閉であることから、この電動操作装置１０２を備えた回路遮断器１０１はＯＦＦ状態であることがわかる（００１５参照）。このＯＦＦ状態から、ＯＮ操作ボタン１を押して、ＯＮ状態に移行するまでを順をおって説明するが、これまでの説明で明らかなように、「ＯＦＦ状態（ＯＮ状態）＝電路電圧正常」という図式が成り立つことから、ＵＶＴ１０３は励磁状態を保っている。したがって、この励磁電流によって検出回路６に設けたフォトカプラ６２の発光側は導通となり、この発光が受光側の導通を促すことから、リレーＵ６１も、前述したように、ＵＶＴ１０３と同期するように励磁状態を継続している。この励磁により、ａ接点６１ａは閉であることから、ＯＮ操作ボタン１を押すと、まず、ポンピング防止用となるリレーＴＡ５２、モーター３１の極性切換用となるリレーＺ５３、およびＯＮ操作用となるリレーＸ５４が励磁され、それぞれのａ接点である５３ａ、５４ａ、およびｃ接点である５３ｃが閉となる。
【００２０】
すると、接点５１ｂ、ａ接点５４ａ、ｃ接点５３ｃを介して、モーター３１の駆動用となるリレーＲ５５が励磁されることで、駆動部制御回路４内に設けたａ接点５５ａが閉、さらには、同様に駆動部制御回路４内に設けたｃ接点５３ｃが切り換わり、モーター３１は、前述したボールねじ３２に対し、スライダー３３がＯＮ方向に移動すべく回転力を与えることになる。ここで、駆動部制御回路４内のｃ接点５３ｃが切り換わることは、前述した通り、リレーＺ５３がモーター３１の極性切換の役目を担っていることに他ならないが、一方では、ａ接点５３ａがこのリレーＺ５３と直列に接続されていることから、リレーＸ５４、さらにはリレーＲ５５の励磁を保持する役目、すなわちワンショット機能（ＯＮ方向に移動中にＯＮ操作ボタン１の押動を継続する必要がない）も担っている。
【００２１】
ＯＮ状態への移行が完了すると、リミットスイッチ５１が切り換わり、接点５１ａが閉、接点５１ｂが開となる。つまり、リレーＸ５４、さらにはリレーＲ５５の励磁電流が断たれることで、ａ接点５５ａが開となり、モーター３１の作動は停止する。さらに、ＯＮ操作ボタン１押動後、所定の時間経過後（ＯＮ状態への移行までに要する時間＋α、例えば０．５ｓ）、ｂ接点５２ｂが開となるので、リレーＺ５３の無励磁により、ｃ接点５３ｃも切り換わる（図５の状態に戻る）。すなわち、接点５１ａが閉であることから、このＯＮ状態（あるいはＯＮ状態からの過電流によるトリップ状態）からのＯＦＦ操作を受け付ける準備が整ったことになる。
【００２２】
そこで、次に、このＯＮ状態からＯＦＦ状態に移行するまでを説明する。ＯＦＦ操作ボタン２を押すと、依然ａ接点６１ａが閉、さらには、前述したように、接点５１ａが閉であることから、ＯＦＦ操作用となるリレーＹ５６が励磁される。この励磁により、ａ接点５６ａが閉となり、リレーＲ５５、およびリレーＴＢ５７が励磁される。なお、ａ接点５６ａがリレーＹ５６と直列にも接続されている理由は、ＯＮ操作時と同様、ワンショット機能を構成しているためである。また、リレーＴＢ５７は、ＯＦＦ操作時の焼損防止用であるが、本発明の要部ではないので、詳しい説明は省略する。
【００２３】
リレーＲ５５の励磁により、ＯＮ操作時と同様、駆動部制御回路４内に設けたａ接点５５ａがＯＮ操作時と同様、閉となるが、ｃ接点５３ｃは切り換わっていないので、モーター３１は、今度は、ボールねじ３２に対し、スライダー３３がＯＦＦ方向に移動すべく回転力を与えることになる。この回転により、ＯＦＦ状態への移行が完了すると、再度、リミットスイッチ５１が切り換わり（図５の状態）、リレーＹ５６、さらにはリレーＲ５５の励磁電流が断たれることで、ａ接点５５ａが開となり、モーター３１の作動は停止する。これにより、ａ接点６１ａを除く各接点は、図５の状態に戻ることで、ＯＮ操作を受け付ける準備が整ったことになる。
【００２４】
電動操作装置１０２の一連の動作は以上述べた通りであるが、これまでの説明からも明らかなように、これら動作は、リレーＵ６１のａ接点６１ａの閉に依存していることがわかる。すなわち、ａ接点６１ａが開であれば、ＯＮおよびＯＦＦ操作とも受け付けない構成となっている。そして、この開となるモードが、電路電圧の瞬停、あるいは所定値を下回ったときに、前述したＵＶＴ制御回路１０３ｂからの電力供給停止による、フォトカプラ６２の非導通→リレーＵ６１の励磁中断によって得られている。したがって、電路電圧の低下、換言すれば、電動操作装置１０２に対するパワーがダウンしたときには、直ちに、モーター３１を作動させないようにしたことで、電圧低下に伴う、モーター３１への過剰な電流供給による、モーター３１自身、あるいは周辺回路部品の異常発熱を未然に防ぐことができ、ＵＶＴ１０３を併用した場合でも、電動操作装置１０２に対する信頼性を損なうことがない。
【００２５】
ＯＮ操作ボタン１およびＯＦＦ操作ボタン２の押動を無効にする手段として、リレーＵ６１のａ接点６１ａをＯＮ操作ボタン１およびＯＦＦ操作ボタン２と制御回路５間に介在させたことを、これまで実施の形態として述べてきたが、ａ接点６１ａの設置箇所は、必ずしもここである必要はなく、例えば、図６に示すように、駆動部制御回路４と制御回路５の間（より具体的に示すと、図５紙面上、リレーＲ５５の下側）に設けてもよい。しかも、この場合、リレーＲ５５のａ接点数が図４の２個に対し１個で済むので、リレー選定の幅が広がるとともに、これらリレーなどを搭載した、例えばプリント基板のパターンの設計裕度があがるなどの効果が期待できる。
【００２６】
実施の形態２．
背景技術の項でも述べたように、電動操作装置には自動リセット式も存在する。この自動リセット式が組み込まれた場合でも、ＵＶＴが無励磁状態では、電動操作装置を作動させないようにしたことを、実施の形態２として説明する。なお、図７はこの発明の実施の形態２における図４相当図、図８は同じく図５相当図である。また、実施の形態１と同一部品については、同番号を付し、その説明は省略する。
【００２７】
自動リセット式を具現化するうえで、警報スイッチが不可欠なことは既に述べたが、この警報スイッチは、回路遮断器に内蔵される周知のいわゆる付属装置の一種であり、該回路遮断器がＯＮあるいはＯＦＦ状態か、トリップ状態かを、外部から識別するために用いられる。なお、警報スイッチ１０４そのものの図示は省略するが、図２に示すように、回路遮断器１０１から引き出されたリード線を、ＵＶＴ１０３と同様、電動操作装置１０２に、具体的には、図７に示すように、一方を電源側に、他方を制御回路５に接続する。また、回路遮断器１０１がＯＮおよびＯＦＦ状態では（図示の通り）開、トリップ状態では閉となる。
【００２８】
この実施の形態２では、警報スイッチ１０４が加わったことで、図８に示すように、この警報スイッチ１０４に直列接続されるリレーＳ５８、およびこのリレーＳ５８のａ接点５８ａおよびｃ接点５８ｃが制御回路５に追加されるとともに、これらａ接点５８ａおよびｃ接点５８ｃが、ＯＦＦ操作ボタン２に関与するリレーＵ６１のａ接点６１ａと直結するように構成されている点が、実施の形態１（図５）との違いである。ここで、実施の形態１と同様、まず、電路電圧が正常時におけるＯＦＦ状態（図８の状態、これはリミットスイッチ５１の状態で判別可能）からＯＮ状態、およびＯＮ状態からＯＦＦ状態について説明するが、ＯＦＦ→ＯＮについては、実施の形態１と同様につき省略する。
【００２９】
ＯＮ状態、すなわち、接点５１ａが閉、接点５１ｂが開であるため、ＯＦＦ操作ボタン２を押すと、リレーＹ５６が励磁されるが、これは、警報スイッチ１０４が開であるが故に、リレーＳ５８は無励磁であることから、ｃ接点５８ｃのうちｂ接点側が励磁電流の経路となっているためである。なお、このリレーＹ５６の励磁以降の動作は実施の形態１と同様であるため省略する。
【００３０】
再びＯＮ状態に戻り、この状態から、過電流によるトリップ、さらには自動リセットによるＯＦＦ状態への移行を説明する。回路遮断器１０１がトリップすると、警報スイッチ１０４は閉となることから、リレーＳ５８が励磁され、ａ接点５８ａの閉により、一旦、リレーＺ５３が励磁される。この励磁により、ｃ接点５３ｃが切り換わってしまうが、前述したように、所定の時間経過後、ｂ接点５２ｂが開となるので、リレーＺ５３は無励磁となり、後述するリレーＲ５５を励磁させるべく、ｃ接点５３ｃは元（図８の状態）に戻る。
【００３１】
前述したリレーＳ５８の励磁により、ｃ接点５８ｃでは、今度はａ接点側が励磁電流の経路となり、リレーＹ５６が励磁される。つまり、このリレーＹ５６は前述したようにＯＦＦ操作用であるため、リレーＲ５５の励磁を経て、回路遮断器１０１はＯＦＦ状態となり、次のＯＮ操作に向けて準備が整ったことになる。すなわち、この「準備」が自動的に行われることが、「自動リセット式」たる所以である。ところで、このＯＦＦ状態によって、接点５１ｂが閉となるが、ｂ接点５２ｂが開である点、さらには警報スイッチ１０４の開により、ａ接点５８ａが開（この開により、ｂ接点５２ｂは元に戻る）になる点、から明らかなようにリレーＸ５４の励磁経路は断たれているので、リレーＸ５４の励磁→勝手なＯＮへの移行が行われることはない。
【００３２】
ａ接点５８ａが介在していることで、動作が若干複雑になったが、このａ接点５８ａの役目について説明する。通常、回路遮断器１０１のトリップではリミットスイッチ５１は切り換わらないが、稀に、トリップ時の振動などで、リミットスイッチ５１が切り換わる、すなわち、接点５１ｂが閉になってしまうことが考えられる。この場合、前述した自動リセットの機能が働かなくなるので、このような不測の事態に備えて、ＯＮ操作用となるリレーＸ５４を一旦励磁させ、スライダー３３を故意にＯＮ方向に移動（回路遮断器１０１自体はトリップ状態なので、ＯＮにはならない）させ、リミットスイッチ５１を正規な位置に戻してやることが必要となる。回路遮断器１０１のトリップの度に閉にさせるａ接点５８ａをリレーＸ５４へ直列に接続させている理由はここにある。なお、前述した故意な動作は、「位置補正動作」とも呼ばれている。
【００３３】
これまで述べた、自動リセット式、さらには自動リセット式に係る位置補正動作を踏まえて、本発明の本質である、リレーＵ６１のＯＦＦ操作側となるａ接点６１ａを図８に示す箇所に介在させた。すなわち、回路遮断器１０１のトリップ原因が、電路電圧の瞬停、あるいは所定値を下回る低下にあった場合、直ちに、ＯＦＦ操作、あるいは場合によっては故意のＯＮ操作を直ちに中断できるよう、ａ接点６１ａを介して、ｃ接点５８ｃのａ接側、およびａ接点５８ａを電源ラインに接続させている。この結果、ＵＶＴ１０３が無励磁状態を継続する限り、ａ接点６１ａは開のままなので、警報スイッチ１０４閉による、ａ接点５８ａおよびｃ接点５８ｃのａ接側が閉でも、リレーＸ５４およびＹ５６の励磁電流経路が成立しないので、電動操作装置１０２が作動することはない。したがって、ＵＶＴ１０３を併用した自動リセット式においても、実施の形態１と同様、電動操作装置１０２に対する信頼性を損なうことがない。
【図面の簡単な説明】
【００３４】
【図１】この発明の実施の形態１における回路遮断器および電動操作装置の側面図である。
【図２】この発明の実施の形態１における電動操作装置のカバーを除去し内部を示した上面図である。
【図３】この発明の実施の形態１における回路遮断器および電動操作装置、さらには回路遮断器に内蔵されたＵＶＴへの電力供給経路を示す概略図である。
【図４】この発明の実施の形態１における回路遮断器（ＵＶＴ）および電動操作装置の電気的主要構成部によるブロック図である。
【図５】図４で示したブロック図の詳細回路図である。
【図６】この発明の実施の形態１の変形例を示す図４相当図である。
【図７】この発明の実施の形態２における図４相当図である。
【図８】図７で示したブロック図の詳細回路図である。
【符号の説明】
【００３５】
１  ＯＮ操作ボタン、２  ＯＦＦ操作ボタン、３  駆動部、
４  駆動部制御回路、５  制御回路、６  ＵＶＴ吸引／落下検出回路、
６１  リレーＵ、６１ａ  ａ接点、１０１  回路遮断器、１０１ｂ  ハンドル、
１０２  電動操作装置、１０３  ＵＶＴ。
【図１】
2008097960.tif 000003
【図２】
2008097960.tif 000004
【図３】
2008097960.tif 000005
【図４】
2008097960.tif 000006
【図５】
2008097960.tif 000007
【図６】
2008097960.tif 000008
【図７】
2008097960.tif 000009
【図８】
2008097960.tif 000010